(57)【要約】【課題】構成が簡単で高画質・高性能なズームレンズを提供する。【解決手段】表示素子を拡大投影する拡大側から順に第１群から第６群とする６つの群からなるズームレンズにおいて、負の屈折力の第１群と、正の屈折力で変倍時に移動する第２群と、正の屈折力で変倍時に移動する第５群と、正の屈折力の第６群と、を備え、更に、正又は負の屈折力で変倍時に移動する第３群と絞りを有する負の屈折力の第４群と、又は、絞りを有し負の屈折力の第３群と正又は負の屈折力で変倍時に移動する第４群と、の何れかを備え、前記第６群は１枚の正レンズからなる。【選択図】図１
2008052174.tif 000002
【特許請求の範囲】
【請求項１】
表示素子を拡大投影する拡大側から順に第１群から第６群とする６つの群からなるズームレンズにおいて、
負の屈折力の第１群と、正の屈折力で変倍時に移動する第２群と、正の屈折力で変倍時に移動する第５群と、正の屈折力の第６群と、を備え、
更に、正又は負の屈折力で変倍時に移動する第３群と絞りを有する負の屈折力の第４群と、又は、絞りを有し負の屈折力の第３群と正又は負の屈折力で変倍時に移動する第４群と、の何れかを備え、
前記第６群は１枚の正レンズからなり、以下の条件式を満たし、
１．３５≦Ｂｆ／ＣＲ１×Ｆ≦２．００
但し、
Ｂｆ：第６群の正レンズの縮小側のレンズ面の中心から光軸に対して垂直に配置される表示素子面までの光軸上の距離
ＣＲ１：第６群の正レンズの拡大側の曲率半径
Ｆ：ズームレンズの最小Ｆ値
前記第３群が負の屈折力と絞りを有し且つ前記第４群が正又は負の屈折力で変倍時に移動する場合は前記第４群及び前記第５群を構成する正レンズのうち少なくとも１枚が、前記第４群が負の屈折力と絞りを有し且つ前記第３群が正又は負の屈折力で変倍時に移動する場合は前記第５群を構成する正レンズのうち少なくとも１枚が、以下の条件式を満たす材料からなり、
ｎｄ＞１．５８
νｄ＞５９
但し、
ｎｄ：ｄ線（波長５８７．５６ｎｍ）に対する屈折率
νｄ：ｄ線（波長５８７．５６ｎｍ）に対するアッベ数
更に、以下の条件式を満足することを特徴とするズームレンズ。
１．７０≦ｆｘｗ／ｆｗ≦４．８０
但し、
ｆｘｗ：第３群が負の屈折力と絞りを有し且つ第４群が正又は負の屈折力で変倍時に移動する場合はズームレンズを広角端とした際の第４群及び第５群からなる合成の焦点距離、第４群が負の屈折力と絞りを有し且つ第３群が正又は負の屈折力で変倍時に移動する場合は第５群の焦点距離
ｆｗ：ズームレンズを広角端とした場合の焦点距離
【請求項２】
以下の条件式を満足することを特徴とする請求項１に記載のズームレンズ。
１．７０≦ｆｘｔ／ｆｔ≦３．７０
但し、
ｆｘｔ：第３群が負の屈折力と絞りを有し且つ第４群が正又は負の屈折力で変倍時に移動する場合はズームレンズを望遠端とした際の第４群及び第５群からなる合成の焦点距離、第４群が負の屈折力と絞りを有し且つ第３群が正又は負の屈折力で変倍時に移動する場合は第５群の焦点距離
ｆｔ：ズームレンズを望遠端とした場合の焦点距離
【請求項３】
前記第６群の正レンズは、以下の条件式を満たす材料からなることを特徴とする請求項１又は２に記載のズームレンズ。
ｎｄ＞１．６０
但し、
ｎｄ：ｄ線（波長５８７．５６ｎｍ）に対する屈折率
【請求項４】
前記第６群の正レンズは、以下の条件式を満たす材料からなることを特徴とする請求項１又は２に記載のズームレンズ。
ｎｄ＞１．６８
但し、
ｎｄ：ｄ線（波長５８７．５６ｎｍ）に対する屈折率
【請求項５】
前記第６群の正レンズは、以下の条件式を満たすことを特徴とする請求項１乃至４のいずれか一項に記載のズームレンズ。
−１／３≦ＣＲ１／ＣＲ２≦１／３
但し、
ＣＲ１：第６群の正レンズの拡大側の曲率半径
ＣＲ２：第６群の正レンズの表示素子側の曲率半径
【請求項６】
前記第６群の正レンズは、以下の条件式を満たすことを特徴とする請求項１乃至５のいずれか一項に記載のズームレンズ。
０．７５≦Ｂｆ／ｆ６×Ｆ≦１．６０
但し、
Ｂｆ：第６群の正レンズの縮小側のレンズ面の中心から光軸に対して垂直に配置される表示素子面までの光軸上の距離
ｆ６：第６群の焦点距離
Ｆ：ズームレンズの最小Ｆ値
【請求項７】
前記表示素子はＤＭＤであることを特徴とする請求項１乃至６のいずれか一項に記載のズームレンズ。
【発明の詳細な説明】
【技術分野】
【０００１】
本発明は、ズームレンズに関する。
【背景技術】
【０００２】
最近、会議でのプレゼンテーション、家庭でのデジタル放送、ホームシアター等で、ＤＭＤ（Ｄｉｇｉｔａｌ  Ｍｉｃｒｏ−Ｍｉｒｒｏｒ  Ｄｅｖｉｃｅ）や液晶デバイスを表示素子とした小型で高性能なプロジェクタが急速に普及しつつある。表示素子の小型化・高解像度化が進むに伴い、投影用ズームレンズ（以下、ズームレンズと称する。）にも小型化・高性能化が求められ、小型でありながら諸収差（倍率色収差等）が十分に補正されている必要があり、更に狭い室内で大画面を映し出すことができるように広角化が要求される場合もある。
【０００３】
例えば、ＤＭＤのミラーに反射した光をズームレンズを通してスクリーンなどの被投写体に拡大表示するＤＬＰ（Ｄｉｇｉｔａｌ  Ｌｉｇｈｔ  Ｐｒｏｃｅｓｓｉｎｇ）プロジェクタにおいて、プロジェクタの仕様等によって一概に言えないが、倍率色収差は少なくても１画素程度以内とすることを求められることが多く、現在の最も小さい画素は、約１０μｍ程度である。また、ＤＭＤ一枚を投影する所謂単板式ＤＬＰプロジェクタの場合は、軸上色収差を小さくすることが求められる。複数のＤＭＤからの光を色合成して投影する、例えば、ＲＧＢの各色に対応するＤＭＤを有する所謂３板式プロジェクタの場合、軸上色収差は各色に対応するＤＭＤの位置を調整することによってある程度調整することができる。しかしながら、単板式の場合は、ＤＭＤの位置が決まっているため、ズームレンズの軸上色収差を小さくする必要がある。光学系のＦナンバーにもよるが、Ｆ２．５のズームレンズでは、例えば、少なくとも４０μｍ程度以下とすることが望まれている。
【０００４】
倍率色収差、軸上色収差以外の収差についても、ＤＭＤの小型化により、より高い性能がズームレンズに要求されている。
【０００５】
上記の様な要望に対して、以下のズームレンズがある。
【０００６】
まず、拡大側から順に、負の屈折力の第１群と、正の屈折力の第２群と、正の屈折力の第３群と、負の屈折力の第４群と、正又は負の屈折力の第５群と、正の屈折力の第６群と、の６成分を有する縮小側に略テレセントリックなズームレンズであって、望遠端から広角端への変倍時に第３群と第５群が拡大側から縮小側へ移動し、第４群に絞りを有するズームレンズがある（特許文献１参照）。
【０００７】
また、少なくとも６つの光学成分によって全系が構成され、光学成分のうち少なくとも４つが変倍の際に移動し、最も拡大側に近い光学成分が負の光学的パワーを有するズームレンズがある（特許文献２参照）。
【特許文献１】特開２００２−３５０７２７号公報
【特許文献２】特開２００１−２３５６７９号公報
【発明の開示】
【発明が解決しようとする課題】
【０００８】
表示素子にＤＭＤを用いるズームレンズでは、ＤＭＤのＯＮ画素（光源からＤＭＤに入射した光をズームレンズから射出してスクリーンに到達するように向きを変えたマイクロミラー）から出射した光（投影光）の一部が、ＤＭＤに近いレンズ群に配置されているレンズ面で反射され、この反射光がＤＭＤのＯＦＦ画素（光源からＤＭＤに入射した光をズームレンズから射出しない方向に向きを変えたマイクロミラー）で再び反射される場合がある。この様子を図３７に示す。
【０００９】
図３７（ａ）において、５０は、表示素子であるＤＭＤ、５２はＤＭＤ５０の中のＯＮ画素、５３はＤＭＤ５０の中のＯＦＦ画素、５５はプリズム、５７はＤＭＤからの光を反射するレンズ面、６０はＯＮ画素からスクリーンに向かう光線、６２はＯＦＦ画素からスクリーンに向かう光線を示している。プリズム５５を介して表示素子５０に入射する光は省略している。ＯＮ画素５２に入射する光は、反射されスクリーン側に進む。この時、例えば、レンズ面５７へ入射する光の一部が反射され、ＯＦＦ画素５３に入射し、再度反射され再びスクリーンに向かって進む。
【００１０】
図３７で示す様に、ＯＦＦ画素５３からの反射光は、その反射角度によって、スクリーン上に画像を形成する本来の投影光に混ざってスクリーン上に到達することになる。従って、本来ＯＦＦ画素に相当する位置であるので光が到達しないスクリーン上の位置に再反射した光が到達することが生じる（以下、この現象をＯＮ／ＯＦＦゴーストと称する。）。このＯＮ／ＯＦＦゴーストの発生は、本来スクリーン上の暗い場所が明るくなるため、スクリーン上の画像を観察している観察者にとっては好ましい画質とならない。特に、スクリーン上に投影される画像が暗いシーンの場合、ＯＮ／ＯＦＦゴーストはより視認しやすくなり好ましい画質とならない。
【００１１】
ＯＮ画素５２より反射される光束がレンズ面５７で反射されＯＦＦ画素に入射する様子を詳細に図３７（ｂ）に示す。図３７（ｂ）に示す７０は、ＯＮ画素５２の反射面とレンズ面５７を介して共役の関係にある位置を示す。この共役関係にある位置７０が画素、特にＯＦＦ画素５３の反射面とが近い状態又は一致すると、ＯＦＦ画素５３に小さくて明るい光スポットが形成されることになる。この光スポットが明るい程、上述のＯＮ／ＯＦＦゴーストは、スクリーンを観察する観察者が容易に認識できるようになるため、スクリーン上の画像を形成する上で好ましくない。
【００１２】
しかしながら、特許文献１に記載のズームレンズは、ＤＭＤを搭載した単板式プロジェクタに好適なズームレンズとあるが、上述のＯＮ／ＯＦＦゴーストに対して考慮がされていない。ＯＮ／ＯＦＦゴーストを発生し難くする方法として、バックフォーカスＢｆ（ズームレンズの縮小側のレンズ最終面の中心から光軸に対して垂直に配置される表示素子面までの光軸上の距離）を長くする方法があるが、レンズ群や第６群の縮小側に配置するＴＩＲ（全内部反射：Ｔｏｔａｌ  Ｉｎｔｅｒｎａｌ  Ｒｅｆｌｅｃｔｉｏｎ）型等のプリズムを大きくする必要があるため、ズームレンズを小型化することが困難となり、このズームレンズを有する投影装置であるプロジェクタも小型化することが困難となる。
【００１３】
特許文献２に記載のズームレンズは、６群構成のうち、４群を移動させる構成となっているが、上述のＯＮ／ＯＦＦゴーストに関する記述がない。また、移動群が多いため、構造が複雑で構造部品が多いため組み立てが容易でなくコストが増加する。
【００１４】
また、近年ホームシアターを用途とするズームレンズでは、画像状況に応じて絞り径を変化させる複雑な機構が必須となっており、これに対応するためには、絞りを備えているレンズ群が変倍動作によって動かない構成とすることが望まれている。
【００１５】
本発明は、上記の課題を鑑みてなされたものであって、その目的とするところは、構成が簡単で高画質・高性能なズームレンズを提供することである。
【課題を解決するための手段】
【００１６】
上記の課題は、以下の構成により解決される。
【００１７】
１．  表示素子を拡大投影する拡大側から順に第１群から第６群とする６つの群からなるズームレンズにおいて、
負の屈折力の第１群と、正の屈折力で変倍時に移動する第２群と、正の屈折力で変倍時に移動する第５群と、正の屈折力の第６群と、を備え、
更に、正又は負の屈折力で変倍時に移動する第３群と絞りを有する負の屈折力の第４群と、又は、絞りを有し負の屈折力の第３群と正又は負の屈折力で変倍時に移動する第４群と、の何れかを備え、
前記第６群は１枚の正レンズからなり、以下の条件式を満たし、
１．３５≦Ｂｆ／ＣＲ１×Ｆ≦２．００
但し、
Ｂｆ：第６群の正レンズの縮小側のレンズ面の中心から光軸に対して垂直に配置される表示素子面までの光軸上の距離
ＣＲ１：第６群の正レンズの拡大側の曲率半径
Ｆ：ズームレンズの最小Ｆ値
前記第３群が負の屈折力と絞りを有し且つ前記第４群が正又は負の屈折力で変倍時に移動する場合は前記第４群及び前記第５群を構成する正レンズのうち少なくとも１枚が、前記第４群が負の屈折力と絞りを有し且つ前記第３群が正又は負の屈折力で変倍時に移動する場合は前記第５群を構成する正レンズのうち少なくとも１枚が、以下の条件式を満たす材料からなり、
ｎｄ＞１．５８
νｄ＞５９
但し、
ｎｄ：ｄ線（波長５８７．５６ｎｍ）に対する屈折率
νｄ：ｄ線（波長５８７．５６ｎｍ）に対するアッベ数
更に、以下の条件式を満足することを特徴とするズームレンズ。
１．７０≦ｆｘｗ／ｆｗ≦４．８０
但し、
ｆｘｗ：第３群が負の屈折力と絞りを有し且つ第４群が正又は負の屈折力で変倍時に移動する場合はズームレンズを広角端とした際の第４群及び第５群からなる合成の焦点距離、第４群が負の屈折力と絞りを有し且つ第３群が正又は負の屈折力で変倍時に移動する場合は第５群の焦点距離
ｆｗ：ズームレンズを広角端とした場合の焦点距離
２．  以下の条件式を満足することを特徴とする１に記載のズームレンズ。
１．７０≦ｆｘｔ／ｆｔ≦３．７０
但し、
ｆｘｔ：第３群が負の屈折力と絞りを有し且つ第４群が正又は負の屈折力で変倍時に移動する場合はズームレンズを望遠端とした際の第４群及び第５群からなる合成の焦点距離、第４群が負の屈折力と絞りを有し且つ第３群が正又は負の屈折力で変倍時に移動する場合は第５群の焦点距離
ｆｔ：ズームレンズを望遠端とした場合の焦点距離
３．  前記第６群の正レンズは、以下の条件式を満たす材料からなることを特徴とする１又は２に記載のズームレンズ。
ｎｄ＞１．６０
但し、
ｎｄ：ｄ線（波長５８７．５６ｎｍ）に対する屈折率
４．  前記第６群の正レンズは、以下の条件式を満たす材料からなることを特徴とする１又は２に記載のズームレンズ。
ｎｄ＞１．６８
但し、
ｎｄ：ｄ線（波長５８７．５６ｎｍ）に対する屈折率
５．  前記第６群の正レンズは、以下の条件式を満たすことを特徴とする１乃至４のいずれか一項に記載のズームレンズ。
−１／３≦ＣＲ１／ＣＲ２≦１／３
但し、
ＣＲ１：第６群の正レンズの拡大側の曲率半径
ＣＲ２：第６群の正レンズの表示素子側の曲率半径
６．  前記第６群の正レンズは、以下の条件式を満たすことを特徴とする１乃至５のいずれか一項に記載のズームレンズ。
０．７５≦Ｂｆ／ｆ６×Ｆ≦１．６０
但し、
Ｂｆ：第６群の正レンズの縮小側のレンズ面の中心から光軸に対して垂直に配置される表示素子面までの光軸上の距離
ｆ６：第６群の焦点距離
Ｆ：ズームレンズの最小Ｆ値
７．  前記表示素子はＤＭＤであることを特徴とする１乃至６のいずれか一項に記載のズームレンズ。
【発明の効果】
【００１８】
本発明によれば、ズームレンズは、以下となる。
（１）絞りを備えていない３つのレンズ群が変倍時に移動される６つのレンズ群からなり、第６群は１枚の正レンズから構成され、その正レンズの曲率半径が適切に定められている。
（２）第３群が負の屈折力と絞りを有し且つ第４群が正又は負の屈折力で変倍時に移動する場合は第４群及び第５群を構成する正レンズのうち少なくとも１枚が、第４群が負の屈折力と絞りを有し且つ第３群が正又は負の屈折力で変倍時に移動する場合は第５群を構成する正レンズのうち少なくとも１枚が適切な屈折率、アッベ数に定められる。
（３）第３群が負の屈折力と絞りを有し且つ第４群が正又は負の屈折力で変倍時に移動する場合は第４群及び第５群からなる合成の広角端の焦点距離、若しくは、第４群が負の屈折力と絞りを有し且つ第３群が正又は負の屈折力で変倍時に移動する場合第５群の焦点距離とズームレンズの広角端の焦点距離との関係を適切に定められる。
【００１９】
上記（１）から（３）によって、絞りを備えたレンズ群は移動することがなく、バックフォーカスを長くすることなくＯＮ／ＯＦＦゴーストが抑えられ、像面湾曲、軸上色収差、倍率色収差が良好であり、表示素子に対するテレセントリック性が確保される。
【００２０】
従って、構成が簡単で高画質・高性能なズームレンズを提供することができる。
【発明を実施するための最良の形態】
【００２１】
本発明を図示の実施の形態に基づいて説明するが、本発明は該実施の形態に限らない。なお、以下に説明する各実施の形態は、表示素子を備えた投影装置（特に表示素子としてＤＭＤを搭載した単板式プロジェクタ）用の投影光学系（つまり拡大系）として好適なズームレンズであるが、表示素子に代わり撮像素子を備えた撮像装置（例えばビデオカメラ、デジタルカメラ、デジタルビデオユニット等）用の撮像光学系（つまり縮小系）としても勿論使用可能である。
【００２２】
本発明に係わるズームレンズは６群で構成され、拡大側（ＤＬＰプロジェクタではスクリーン側）より第１群Ｇｒ１とし、最も縮小側（ＤＬＰプロジェクタでは表示素子側）を第６群とする。
【００２３】
拡大側のスクリーン面と縮小側の表示素子であるＤＭＤとは共役関係にあり、一般にはスクリーン面は距離の長い方の共役点（拡大共役側）に、ＤＭＤは距離の短い方の共役点（縮小共役側）に相当している。
【００２４】
ズームレンズは、第１群Ｇｒ１は負の屈折力、第２群Ｇｒ２は正の屈折力、第５群Ｇｒ５は正の屈折力、第６群Ｇｒ５は正の屈折力を備えている。ズームレンズの６群の屈折力の構成を拡大側から屈折力を表す「正」又は「負」で並べて示すと、負・正・ｘ・負・ｙ・正・正となる。ここで、ｘ、ｙは、屈折力が正または負のいずれとすることが可能なレンズ群であり、ｘ、ｙのどちらか一方を設けると他方は存在しない。すなわち、レンズ群が備える屈折力は、拡大側から順に、負・正・ｘ・負・正・正、又は、負・正・負・ｙ・正・正のいずれかの構成であり、便宜的に前者を第１のズームレンズ、後者を第２のズームレンズとする。
【００２５】
負・正・ｘ・負・正・正の第１のズームレンズの構成は次の通りになる。最も拡大側の第１群Ｇｒ１（負）は、フォーカス機能を備えているため、フォーカス時に移動される。第２群Ｇｒ２（正）及び第３群Ｇｒ３（ｘ）の合成の屈折力は正であり、第３群Ｇｒ３（ｘ）の屈折力は、変倍効果を優先する場合は正とし、収差を整える効果を優先する場合は負とする。また、第２群Ｇｒ２（正）及び第３群Ｇｒ３（ｘ）は変倍機能を備えているため変倍時に移動される。第４群Ｇｒ４（負）は絞りＳＴを備えている。第５群Ｇｒ５（正）は変倍機能を備えているため変倍時に移動される。そして、最も縮小側に第６群Ｇｒ６（正）がある。
【００２６】
また、負・正・負・ｙ・正の第２のズームレンズの構成は次の通りになる。第１群Ｇｒ１（負）はフォーカス機能を備えているため、フォーカス時に移動される。第２群Ｇｒ２（正）は変倍機能を備えているため変倍時に移動される。第３群Ｇｒ３（負）は絞りＳＴを備えている。第４群Ｇｒ４（ｙ）及び第５群Ｇｒ５（正）の合成の屈折力は正であり、第４群Ｇｒ４の屈折力は、変倍効果を優先する場合は正とし、収差を整える効果を優先する場合は負とする。第４群Ｇｒ４（ｙ）及び第５群Ｇｒ５（正）は変倍機能を備えているため変倍時に移動される。そして、最も縮小側に第６群Ｇｒ６（正）がある。
【００２７】
上述の第１のズームレンズ及び第２のズームレンズのどちらの構成のズームレンズにおいても、第１群Ｇｒ１を負の屈折力とすることで、ズーム比（望遠端における焦点距離／広角端における焦点距離を示し、変倍比とも称す。）が１．３倍程度と小さいズームレンズにおいては、繰り出し量が小さい構成とすることができるのでズームレンズを小型化する上で好ましい。また、第６群Ｇｒ６を正の屈折力とすることで、縮小側にあるＤＭＤ側に略テレセントリック性を備えたズームレンズとすることができ、投影される画像の周辺部の光量低下を抑えることができる。
【００２８】
また、絞りＳＴを備える第１のズームレンズの第４群Ｇｒ４及び第２のズームレンズの第３群Ｇｒ３が変倍時に移動せず固定されていることで、駆動を伴う絞り機構を移動させることが不要となる。このため、レンズ保持機構が簡素化されることはもちろんのこと、例えば、絞りを駆動するパルスモーター等のアクチュエータを固定することができるため、駆動用アクチュエータへの電力供給を行う配線を絞りの移動に伴い移動させる必要がなくなる。このため、絞り機構やレンズ保持機構等の構造を容易とすることができると伴に断線により絞りが動作しないと言った不具合が生じることがなくなり、ズームレンズの信頼性を高くすることができる。特に、近年、ＤＬＰプロジェクタにおいて、変倍にともなう投影される画像の改善のため絞り径を変化させることが必須となってきているので、絞り機構が固定されていることは、高い品質の投影される画像を高い信頼性で提供することに好適である。
【００２９】
また、第６群Ｇｒ６の縮小側には、プリズムＰ１と平行平板Ｐ２が配置されている。プリズムＰ１は、光束分離用のＴＩＲプリズムに相当し、平行平板Ｐ２は表示素子であるＤＭＤのカバーガラスに相当する。なお、各実施の形態のズームレンズを３板式プロジェクタに使用する場合には、色分解・色合成光学系（クロスダイクロプリズム等）もプリズムＰ１に含まれる。
【００３０】
最もＤＭＤに近い第６群Ｇｒ６を正レンズ１枚で構成し適切な面形状とすることは、ＤＭＤとレンズ面との反射で発生するＯＮ／ＯＦＦゴーストを低減することが出来るので好ましい。
【００３１】
ＯＮ／ＯＦＦゴーストは、投影される画像をなす光束を出射するＤＭＤのミラー（ＯＮ画素）面と拡大側に配置されるレンズ群、特にＤＭＤに近いレンズ群、のレンズ面を介して共役関係となる位置とＤＭＤのミラー面とを出来るだけ遠ざけることにより抑えることが出来る。これは、共役関係となる位置とＤＭＤのミラー面とを遠ざけることで、共役関係となる位置を通過しＤＭＤのミラー面に到達する光のスポット径が大きく、暗くなるためである。この共役関係となる位置とＤＭＤのミラー面とは、おおよそ１５ｍｍ以上離れていることが好ましい。
【００３２】
よって、ＤＭＤに近い反射面となる面を少なくするために、第６群を正の１枚レンズとし、更に、この正の１枚レンズの面形状を上述の共役関係になり難いように適切に規定するため、以下の条件式（１）を満たすことが望ましい。
１．３５≦Ｂｆ／ＣＲ１×Ｆ≦２．００              （１）
但し、
Ｂｆ：第６群の正レンズの縮小側のレンズ面の中心から光軸に対して垂直に配置される表示素子面までの光軸上の距離（バックフォーカス）
ＣＲ１：第６群の正レンズの拡大側の曲率半径
Ｆ：ズームレンズの最小Ｆ値
である。
【００３３】
また、第６群は、以下の条件式（２）、（３）を満足することがより望ましい。
−１／３≦ＣＲ１／ＣＲ２≦１／３                  （２）
但し、
ＣＲ１：第６群の正レンズの拡大側の曲率半径
ＣＲ２：第６群の正レンズの縮小側の曲率半径
０．７５≦Ｂｆ／ｆ６×Ｆ≦１．６０                （３）
但し、
Ｂｆ：第６群の正レンズの縮小側のレンズ面の中心から光軸に対して垂直に配置される表示素子面までの光軸上の距離
ｆ６：第６群の焦点距離
Ｆ：ズームレンズの最小Ｆ値
である。
【００３４】
条件式（１）、（３）について、下限を超えると、共役位置がＤＭＤに近づくため、ＯＮ／ＯＦＦゴーストが増加するので好ましくない。また、上限を超えると、像面湾曲が良好とならない。また、条件式（２）について、ＣＲ１が大きくて下限を超える場合、共役位置がＤＭＤに近づくため、ＯＮ／ＯＦＦゴーストが増加し好ましくなく、ＣＲ２が小さくて下限を超える場合、像面湾曲が良好とならない。更に上限を超える場合、共役位置がＤＭＤに近づくため、ＯＮ／ＯＦＦゴーストが増加するので好ましくない。
【００３５】
第６群Ｇｒ６を固定されている１枚の正レンズからなる簡単な構成として、上述の様に条件式（１）、（２）、（３）に適合することで、バックフォーカスを長くしてレンズ群やプリズムを大きくすることなく、ＯＮ／ＯＦＦゴーストを抑えることが出来る。
【００３６】
第３群が負の屈折力と絞りを有し且つ第４群が正又は負の屈折力で変倍時に移動する場合は第４群及び第５群を構成する正レンズのうち少なくとも１枚の正レンズが、第４群が負の屈折力と絞りを有し且つ第３群が正又は負の屈折力で変倍時に移動する場合は第５群を構成する正レンズのうち少なくとも１枚の正レンズが、以下の条件式（４）、（５）を満たす材料でなることが望ましい。
ｎｄ＞１．５８                （４）
νｄ＞５９                    （５）
但し、
ｎｄ：ｄ線（波長５８７．５６ｎｍ）に対する屈折率
νｄ：ｄ線（波長５８７．５６ｎｍ）に対するアッベ数
である。尚、νｄは、次式（５ａ）で定義できる。
νｄ＝（ｎｄー１）／（ｎF−ｎC）          （５ａ）
但し、
ｎF：Ｆ線（波長：４８６．１３ｎｍ）に対する屈折率
ｎC：Ｃ線（波長：６５６．２８ｎｍ）に対する屈折率
である。
【００３７】
条件式（４）、（５）を満たすと、像面湾曲、軸上色収差、倍率色収差と良好に抑えることが出来る。また、軸上色収差、倍率色収差を良好に抑えるために有効なνｄ＞８０の高価なガラス材料の使用を抑えることが出来る。条件式（４）を満たさないと、屈折率が十分に大きくないため像面湾曲が良好とすることができない。また、条件式（５）を満たさないと、軸上色収差、倍率色収差が良好とすることが出来ない。条件式（５）を満たさないフリント又は重フリント系ガラスを用いた場合、倍率色収差は良好とすることが出来るが、軸上色収差を良好とすることが出来ない。
【００３８】
第３群が絞りを有する場合は、第４群及び第５群からなる群の焦点距離、第４群が絞りを有する場合は第５群の焦点距離は、以下の条件式（６）を満たすことが好ましい。
１．７０≦ｆｘｗ／ｆｗ≦４．８０              （６）
但し、
ｆｘｗ：第３群が負の屈折力と絞りを有し且つ第４群が正又は負の屈折力で変倍時に移動する場合はズームレンズを広角端とした際の第４群及び第５群からなる合成の焦点距離、第４群が負の屈折力と絞りを有し且つ第３群が正又は負の屈折力で変倍時に移動する場合は第５群の焦点距離
ｆｗ：ズームレンズを広角端とした場合の焦点距離
である。
【００３９】
条件式（６）の下限を超えると、倍率色収差が過剰に補正されてしまうので好ましくなく、また、ＤＭＤに収束する光束に対するテレセントリック性を確保することが困難となる問題が生じる。条件式（６）の上限を超えると、倍率色収差、像面湾曲を共に良好とすることが出来ないので好ましくない。
【００４０】
第３群が負の屈折力と絞りを有し且つ第４群が正又は負の屈折力で変倍時に移動する場合は、第４群及び第５群からなる群の焦点距離、第４群が負の屈折力と絞りを有し且つ第３群が正又は負の屈折力で変倍時に移動する場合第５群の焦点距離は、以下の条件式（７）を満たすことがより好ましい。
１．７０≦ｆｘｔ／ｆｔ≦３．７０              （７）
但し、
ｆｘｔ：第３群が負の屈折力と絞りを有し且つ第４群が正又は負の屈折力で変倍時に移動する場合はズームレンズを望遠端とした際の第４群及び第５群からなる合成の焦点距離、第４群が負の屈折力と絞りを有し且つ第３群が正又は負の屈折力で変倍時に移動する場合は第５群の焦点距離
ｆｔ：ズームレンズを望遠端とした場合の焦点距離
である。
【００４１】
条件式（７）の下限を超えると、倍率色収差が過剰に補正されてしまうので好ましくなく、また、表示素子に収束する光束に対するテレセントリック性を確保することが困難となる問題が生じる。条件式（７）の上限を超えると、倍率色収差、像面湾曲を共に良好とすることが出来ないので好ましくない。
【００４２】
第６群の正レンズは、以下の条件式（８）を満足する材料からなることが望ましく、条件式（９）を満足することがより望ましい。
ｎｄ＞１．６０                    （８）
ｎｄ＞１．６８                    （９）
但し、
ｎｄ：ｄ線（波長５８７．５６ｎｍ）に対する屈折率
である。
【００４３】
条件式（８）、更に望ましくは条件式（９）を満足することで、像面湾曲を良好にすることが出来き、また、後述する実施例において、高価なフリントガラス、重フリントガラス
を使用する数を少なくすることが出来るため低コストに対応することができる。
【００４４】
第１の実施の形態（図１）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第３群（Ｇｒ３）は直線的に拡大側から縮小側へ移動しする。
【００４５】
図１から図１２において、望遠端（Ｔ）から広角端（Ｗ）へのズーミングにおけるレンズ群の移動の様子は示す際に、レンズ群が固定されている場合は破線、移動する場合は実線で示す。また、第１群Ｇｒ１はズーミング時は移動せず、フォーカシング時に移動することを示すため、一点鎖線で示す。
【００４６】
第２の実施の形態（図２）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第３群（Ｇｒ３）は直線的に拡大側から縮小側へ移動する。
【００４７】
第３の実施の形態（図３）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第３群（Ｇｒ３）は直線的に拡大側から縮小側へ移動する。
【００４８】
第４の実施の形態（図４）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第３群（Ｇｒ３）は直線的に拡大側から縮小側へ移動する。
【００４９】
第５の実施の形態（図５）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第３群（Ｇｒ３）は直線的に拡大側から縮小側へ移動する。
【００５０】
第６の実施の形態（図６）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第３群（Ｇｒ３）は直線的に拡大側から縮小側へ移動する。
【００５１】
第７の実施の形態（図７）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第３群（Ｇｒ３）は直線的に拡大側から縮小側へ移動する。
【００５２】
第８の実施の形態（図８）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第３群（Ｇｒ３）は直線的に拡大側から縮小側へ移動する。
【００５３】
第９の実施の形態（図９）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第４群（Ｇｒ４）は直線的に拡大側から縮小側へ移動する。
【００５４】
第１０の実施の形態（図１０）では、望遠端（Ｔ）から広角端（Ｗ）へのズーミングにおいて、第２群（Ｇｒ２）及び第５群（Ｇｒ５）が拡大側から縮小側へいずれも拡大側にゆるい凸を描くように移動する。第４群（Ｇｒ４）は直線的に拡大側から縮小側へ移動する。
【００５５】
第１１の実施の形態（図１１）では、望遠端（Ｔ）から広角端（Ｗ）へのズーミングにおいて、第２群（Ｇｒ２）は直線的に拡大側から縮小側へ移動し、第３群（Ｇｒ３）は一旦縮小側に移動後再び拡大側にＵの字を描くように移動し、第５群（Ｇｒ５）はやや拡大側に凸を描くように拡大側から縮小側へ移動する。
【００５６】
第１２の実施の形態（図１２）では、望遠端（Ｔ）から広角端（Ｗ）へのズーミングにおいて、第２群（Ｇｒ２）、第３群（Ｇｒ３）及び第５群（Ｇｒ５）が拡大側から縮小側へ移動する。この時、第２群（Ｇｒ２）及び第５群（Ｇｒ５）は拡大側にゆるい凸を描くように移動する。第３群（Ｇｒ３）は直進的に拡大側から縮小側へ移動する。
【実施例】
【００５７】
以下、本発明に係るズームレンズをコンストラクションデータ等により更に具体的に説明する。なお、ここで例として挙げる実施例１〜１２は、前述した第１〜第１２の実施の形態にそれぞれ対応しており、第１〜第１２の実施の形態を表すレンズ構成図（図１〜図１２）は、対応する実施例１〜１２のレンズ構成をそれぞれ示している。
【００５８】
各実施例のコンストラクションデータにおいて、ｒｉ（ｉ＝１、２、３、．．．）は拡大側から数えてｉ番目の面の曲率半径（ｍｍ）、ｄｉ（ｉ＝１、２、３、．．．）は拡大側から数えてｉ番目の軸上面間隔（ｍｍ）を示しており、Ｎｉ（ｉ＝１、２、３、．．．）、νｉ（ｉ＝１、２、３、．．．）は拡大側から数えてｉ番目の光学要素のｄ線に対する屈折率（Ｎｄ）、アッベ数（νｄ）を示している。曲率半径ｒｉに＊印が付された面は、非球面で構成された面であることを示し、非球面の面形状を表わす以下の式（ＡＳ）で定義されるものとする。各実施例のコンストラクションデータにおける最終ｒｉは、表示素子であるＤＭＤにおけるミラー面を示しており、各レンズ構成図においては、複数あるミラーの一つを例として示している。
【００５９】
また、コンストラクションデータ中、ズーミングにおいて変化する軸上面間隔は、望遠端（長焦点距離端、Ｔ）〜ミドル（中間焦点距離状態、Ｍ）〜広角端（短焦点距離端、Ｗ）での可変空気間隔である。各焦点距離状態（Ｔ）、（Ｍ）、（Ｗ）での全系の焦点距離（ｆ、ｍｍ）、焦点距離状態（Ｔ）及び（Ｗ）でのＦナンバー（ＦＮＯ）、並びに非球面データを他のデータと併せて示している。なお、すべての実施例について投影距離＝∞である。また、各実施例におけるＦナンバーは、長焦点距離端（Ｔ）から短焦点距離端（Ｗ）まで単調に変化する。
Ｘ（Ｈ）＝Ｃ・Ｈ2／｛１＋（１−ε×Ｃ2×Ｈ2）1/2｝＋ΣＡｉ×Ｈｉ・・・・・・・・・（ＡＳ）
但し、
Ｘ（Ｈ）：高さＨの位置での光軸（ＡＸ）方向の変位量（面頂点基準）
Ｈ：光軸（ＡＸ）に対して垂直な方向の高さ
Ｃ：近軸曲率（＝１／曲率半径）
ε：２次曲面パラメータ
Ａｉ：ｉ次の非球面係数（ｉ＝４、６、８、１０）
である。
【００６０】
図１３〜図３６は実施例１〜実施例１２にそれぞれ対応する収差図であり、（Ｔ）は望遠端、（Ｗ）は広角端における無限遠物体に対する縮小側での諸収差｛球面収差等（ｍｍ）、非点収差（ｍｍ）、歪曲収差（％）、倍率色収差（ｍｍ）；Ｈ：入射高さ（ｍｍ）、Ｙ’：像高（ｍｍ）｝を示している。球面収差図において、実線はｅ線、一点鎖線はｇ線、二点鎖線はＣ線に対する球面収差をそれぞれ表しており、破線は正弦条件（ＳＣ）を表している。非点収差図において、実線、一点鎖線、二点鎖線はサジタル面（ＤＳ）でのｅ線、ｇ線、Ｃ線に対する非点収差をそれぞれ表しており、各破線は（短いものから順に）タンジェンシャル面（ＤＴ）でのｅ線、ｇ線、Ｃ線に対する非点収差をそれぞれ表している。また倍率色収差図において、実線はｇ線、破線はＣ線に対する倍率色収差をそれぞれ表している。
【００６１】
なお、各実施例のズームレンズを投影装置（例えばＤＭＤを搭載したプロジェクタ）に用いる場合には、本来はスクリーン面（被投影面）が像面であり表示素子面（例えばＤＭＤミラー面）が物体面であるが、各実施例では光学設計上それぞれ縮小系とし、スクリーン面を物体面とみなして表示素子面で光学性能を評価している。
【００６２】
各実施例の諸値を表１、表２に示す。また、各実施例における条件式（１）から（９）に対応する数値を表３から表８に示す。ＯＮ／ＯＦＦゴーストに関する数値を表９に示す。表９に示す共役距離は、最も影響の大きい代表的な像高での共役位置とＤＭＤミラー面との距離を示している。共役位置は、光学設計上、スクリーン面からズームレンズに入射する光が集光するＤＭＤミラー（ＯＦＦ画素）面と第６群のレンズ面を介して共役関係となる位置を求めている。表９に示す共役距離は、共役関係となる位置とＤＭＤミラー面との間隔としており、この数値が大きい方が好ましい。この共役関係の位置を通過して再度ＤＭＤミラーに到達する光のスポット径を表９に併せて載せている。このスポット径が大きい程好ましく、ＯＮ／ＯＦＦゴーストが確認し難くなる。
【００６３】
（実施例１）
ｆ＝５２．４（Ｔ）  〜  ４５．７（Ｍ）  〜  ３９．０（Ｗ）
ＦＮＯ．＝２．７１（Ｔ）  〜  ２．５０（Ｗ）
曲率半径(mm)        軸上面間隔(mm)              屈折率(Nd)       アッベ数(νd)
r1      96.459
d1    5.868                 N1    1.51680    ν1   64.20
r2    -171.002
d2    0.200
r3      59.527
d3    2.001                 N2    1.56883    ν2   56.04
r4      28.618
d4   12.055
r5     -44.367
d5    1.600                 N3    1.67270    ν3   32.17
r6      69.628
d6    7.226〜9.583〜12.999
r7    -186.445
d7    1.700                 N4    1.61293    ν4   36.96
r8      98.478
d8    0.010                 N5    1.55000    ν5   47.00
r9      98.478
d9    5.266                 N6    1.83400    ν6   37.34
r10    -55.541
d10   0.673〜1.580〜1.625
r11     37.376
d11   4.708                 N7    1.83400    ν7   37.34
r12    553.009
d12  12.910〜9.647〜6.186
r13   -103.349
d13   1.201                 N8    1.62299    ν8   58.12
r14     38.208
d14   6.813
r15      0.000
d15   3.000〜7.321〜12.288
r16     51.280
d16   4.548                 N9    1.49700    ν9   81.61
r17    -51.280
d17   0.200
r18     34.622
d18   6.474                 N10   1.61800    ν10  63.33
r19    -34.622
d19   0.010                 N11   1.55000    ν11  47.00
r20    -34.622
d20   1.429                 N12   1.64769    ν12  33.84
r21     23.734
d21  10.811
r22    -19.030
d22   1.600                 N13   1.80610    ν13  33.27
r23   1925.113
d23   0.010                 N14   1.55000    ν14  47.00
r24   1925.113
d24   6.654                 N15   1.61800    ν15  63.33
r25    -26.601
d25   0.228
r26    -84.229
d26   4.469                 N16   1.49700    ν16  81.61
r27    -32.153
d27   9.588〜5.267〜0.300
r28     55.250
d28   6.079                 N17   1.69895    ν17  30.05
r29   -194.723
d29  10.250
r30      0.000
d30  25.000                 N18   1.51680    ν18  64.20
r31      0.000
d31   5.000
r32      0.000
d32   3.000                 N19   1.50847    ν19  61.19
r33      0.000
d33   0.500
r34      0.000  。
【００６４】
（実施例２）
ｆ＝６６．７（Ｔ）  〜  ５５．６（Ｍ）  〜  ４４．５（Ｗ）
ＦＮＯ．＝２．７５（Ｔ）  〜  ２．５０（Ｗ）
曲率半径(mm)        軸上面間隔(mm)              屈折率(Nd)       アッベ数(νd)
r1     154.304
d1    5.261                 N1    1.51680    ν1   64.20
r2    -154.30
d2    0.200
r3     137.613
d3    3.691                 N2    1.58913    ν2   61.25
r4      40.332
d4   11.074
r5     -48.547
d5    1.900                 N3    1.61293    ν3   36.96
r6      98.654
d6    7.963〜11.492〜17.320
r7    -426.334
d7    2.100                 N4    1.61293    ν4   36.96
r8     101.878
d8    0.010                 N5    1.55000    ν5   47.00
r9     101.878
d9    6.615                 N6    1.83400    ν6   37.34
r10    -65.292
d10   8.087〜12.045〜14.524
r11     49.641
d11   5.157                 N7    1.67790    ν7   55.52
r12      0.000
d12  20.845〜23.358〜5.051
r13    -75.374
d13   1.400                 N8    1.54814    ν8   45.82
r14     32.366
d14   0.010                 N9    1.55000    ν9   47.00
r15     32.366
d15   3.190                 N10   1.78472    ν10  25.72
r16     47.276
d16   4.549
r17      0.000
d17   3.000〜9.004〜16.269
r18     50.148
d18   5.046                 N11   1.49700    ν11  81.61
r19    -68.076
d19   6.942
r20     65.645
d20   5.892                 N12   1.61800    ν12  63.33
r21    -65.645
d21   0.010                 N13   1.55000    ν13  47.00
r22    -65.645
d22   1.500                 N14   1.67270    ν14  32.17
r23     36.517
d23  10.163
r24    -23.485
d24   1.800                 N15   1.80610    ν15  33.27
r25     71.004
d25   0.010                 N16   1.55000    ν16  47.00
r26     71.004
d26   8.121                 N17   1.61800    ν17  63.33
r27    -36.324
d27   0.200
r28      0.000
d28   6.191                 N18   1.49700    ν18  81.61
r29    -41.685
d29  13.570〜7.565〜0.301
r30     76.030
d30   5.505                 N19   1.78472    ν19  25.72
r31   -291.206
d31  22.000
r32      0.000
d32  26.000                 N20   1.51680    ν20  64.20
r33      0.000
d33   5.000
r34      0.000
d34   3.000                 N21   1.50847    ν21  61.19
r35      0.000
d35   0.500
r36      0.000  。
【００６５】
（実施例３）
ｆ＝３７．７（Ｔ）  〜  ３３．０（Ｍ）  〜  ２８．３（Ｗ）
ＦＮＯ．＝２．６９（Ｔ）  〜  ２．５０（Ｗ）
曲率半径(mm)        軸上面間隔(mm)              屈折率(Nd)       アッベ数(νd)
r1     115.951
d1    4.500                 N1    1.58913    ν1   61.25
r2      36.951
d2    9.201
r3      91.365
d3    4.500                 N2    1.52510    ν2   56.38
r4      36.999
d4   22.034
r5     -36.504
d5    3.500                 N3    1.58913    ν3   61.25
r6     -58.023
d6    4.115〜6.192〜9.642
r7   -6109.482
d7    2.507                 N4    1.67270    ν4   32.17
r8      58.632
d8    0.010                 N5    1.55000    ν5   47.00
r9      58.632
d9   14.223                 N6    1.74400    ν6   44.90
r10    -73.764
d10   7.353〜17.103〜26.878
r11    100.576
d11   4.482                 N7    1.74400    ν7   44.90
r12  -6244.536
d12  46.138〜34.311〜21.086
r13    -55.431
d13   2.000                 N8    1.74950    ν8   35.04
r14     27.224
d14   0.010                 N9    1.55000    ν9   47.00
r15     27.224
d15   5.391                 N10   1.75520    ν10  27.53
r16   -123.179
d16   5.700
r17      0.000
d17   2.000〜7.471〜13.643
r18     62.756
d18   5.549                 N11   1.49700    ν11  81.61
r19    -71.396
d19   0.200
r20     45.307
d20   7.435                 N12   1.61800    ν12  63.33
r21    -46.184
d21   0.010                 N13   1.55000    ν13  47.00
r22    -46.184
d22   2.114                 N14   1.64769    ν14  33.84
r23     29.544
d23  11.267
r24    -28.229
d24   2.000                 N15   1.80610    ν15  33.27
r25     95.920
d25   0.010                 N16   1.55000    ν16  47.00
r26     95.920
d26   8.413                 N17   1.61800    ν17  63.33
r27    -37.909
d27   0.200
r28   -530.659
d28   5.142                 N18   1.49700    ν18  81.61
r29    -52.448
d29  13.642〜8.172〜2.000
r30     60.606
d30   6.355                 N19   1.71736    ν19  29.50
r31   -453.009
d31  12.980
r32      0.000
d32  31.000                 N20   1.51680    ν20  64.20
r33      0.000
d33   5.000
r34      0.000
d34   3.000                 N21   1.50847    ν21  61.19
r35      0.000
d35   0.500
r36      0.000
第３面（ｒ３）の非球面データを以下に示す。
ε＝１．００００、Ａ４＝０．２９６４７×１０-5，Ａ６＝０．１６６８７×１０-9、Ａ８＝０．９５６２７×１０-12、Ａ１０＝−０．３６１３１×１０-15  。
【００６６】
（実施例４）
ｆ＝５０．０（Ｔ）  〜  ４３．９（Ｍ）  〜  ３７．７（Ｗ）
ＦＮＯ．＝２．７０（Ｔ）  〜  ２．５０（Ｗ）
曲率半径(mm)        軸上面間隔(mm)              屈折率(Nd)       アッベ数(νd)
r1      50.963
d1    4.500                 N1    1.58913    ν1   61.25
r2      35.312
d2    6.346
r3      42.576
d3    4.500                 N2    1.52510    ν2   56.38
r4      32.831
d4   17.448
r5     -59.501
d5    2.512                 N3    1.64769    ν3   33.84
r6     110.107
d6   11.832〜14.304〜17.974
r7     831.857
d7    7.037                 N4    1.80610    ν4   33.27
r8     -65.633
d8    9.643〜12.833〜15.277
r9      54.520
d9    6.097                 N5    1.67790    ν5   55.52
r10   -715.052
d10  20.532〜14.870〜8.756
r11    -74.810
d11   2.399                 N6    1.51680    ν6   64.20
r12     73.258
d12   8.301
r13      0.000
d13   2.889〜7.944〜13.799
r14     52.187
d14   6.637                 N7    1.49700    ν7   81.61
r15    -64.502
d15   5.000
r16     50.138
d16   5.467                 N8    1.61800    ν8   63.33
r17    -60.529
d17   0.010                 N9    1.55000    ν9   47.00
r18    -60.529
d18   2.071                 N10   1.67270    ν10  32.17
r19     31.395
d19  10.437
r20    -23.261
d20   2.052                 N11   1.80610    ν11  33.27
r21     76.667
d21   0.010                 N12   1.55000    ν12  47.00
r22     76.667
d22   8.660                 N13   1.61800    ν13  63.33
r23    -35.782
d23   0.200
r24  -1651.609
d24   6.979                 N14   1.49700    ν14  81.61
r25    -42.384
d25  12.572〜7.517〜1.662
r26     60.606
d26   5.866                 N15   1.78472    ν15  25.72
r27  -1940.579
d27  12.980
r28      0.000
d28  31.000                 N16   1.51680    ν16  64.20
r29      0.000
d29   5.000
r30      0.000
d30   3.000                 N17   1.50847    ν17  61.19
r31      0.000
d31   0.500
r32      0.000
第３面（ｒ３）の非球面データを以下に示す。
ε＝１．００００、Ａ４＝０．１４６４５×１０-5，Ａ６＝０．１３２６９×１０-8、Ａ８＝−０．４１００１×１０-12、Ａ１０＝０．１７６０６×１０-14  。
【００６７】
（実施例５）
ｆ＝３１．３（Ｔ）  〜  ２８．５（Ｍ）  〜  ２５．６（Ｗ）
ＦＮＯ．＝１．９５（Ｔ）  〜  １．８０（Ｗ）
曲率半径(mm)        軸上面間隔(mm)              屈折率(Nd)       アッベ数(νd)
r1      96.641
d1    6.186                 N1    1.51680    ν1   64.20
r2    1315.859
d2    1.168
r3      67.325
d3    2.700                 N2    1.58913    ν2   61.25
r4      30.324
d4   11.554
r5     219.346
d5    2.200                 N3    1.72342    ν3   37.99
r6      40.538
d6   11.822
r7    -145.593
d7    2.000                 N4    1.58913    ν4   61.25
r8     136.525
d8   20.094〜23.139〜27.162
r9     236.316
d9    4.081                 N5    1.83400    ν5   37.34
r10    -98.282
d10   3.212〜2.209〜0.300
r11     47.425
d11   5.241                 N6    1.80610    ν6   33.27
r12    871.862
d12  12.129〜10.088〜7.973
r13   -137.761
d13   1.700                 N7    1.58144    ν7   40.89
r14     38.568
d14  12.706
r15      0.000
d15   0.500〜5.221〜10.316
r16     54.702
d16   6.601                 N8    1.49700    ν8   81.61
r17    -48.277
d17   0.200
r18     62.253
d18   5.973                 N9    1.58913    ν9   61.25
r19    -34.498
d19   0.010                 N10   1.55000    ν10  47.00
r20    -34.498
d20   1.500                 N11   1.80610    ν11  33.27
r21     37.624
d21   9.920
r22    -23.372
d22   1.817                 N12   1.80610    ν12  33.27
r23    424.074
d23   0.010                 N13   1.55000    ν13  47.00
r24    424.074
d24   6.031                 N14   1.58913    ν14  61.25
r25    -37.597
d25   0.200
r26   -183.507
d26   6.035                 N15   1.49700    ν15  81.61
r27    -36.544
d27   0.572
r28    159.851
d28   7.819                 N16   1.49700    ν16  81.61
r29    -57.230
d29  10.638〜5.918〜0.823
r30     58.480
d30   4.861                 N17   1.78472    ν17  25.72
r31    178.118
d31  21.317
r32      0.000
d32  25.310                 N18   1.51680    ν18  64.20
r33      0.000
d33   5.000
r34      0.000
d34   3.000                 N19   1.50847    ν19  61.19
r35      0.000
d35   0.500
r36      0.000  。
【００６８】
（実施例６）
ｆ＝４４．３（Ｔ）  〜  ３８．４（Ｍ）  〜  ３２．７（Ｗ）
ＦＮＯ．＝２．５７（Ｔ）  〜  ２．５０（Ｗ）
曲率半径(mm)        軸上面間隔(mm)              屈折率(Nd)       アッベ数(νd)
r1     121.683
d1    3.882                 N1    1.51680    ν1   64.20
r2     -98.579
d2    0.200
r3      70.840
d3    1.522                 N2    1.51680    ν2   64.20
r4      24.089
d4    9.509
r5     -29.146
d5    1.196                 N3    1.58144    ν3   40.89
r6      68.001
d6    2.976〜5.328〜8.685
r7     483.575
d7    3.229                 N4    1.74400    ν4   44.90
r8     -36.480
d8    0.827〜1.376〜0.948
r9      26.719
d9    3.459                 N5    1.83400    ν5   37.34
r10    265.659
d10   9.261〜6.360〜3.431
r11    -84.063
d11   0.902                 N6    1.53172    ν6   48.84
r12     26.533
d12   2.009
r13      0.000
d13   2.000〜6.110〜10.628
r14     26.126
d14   4.057                 N7    1.49700    ν7   81.61
r15    -36.940
d15   0.207
r16    213.019
d16   1.094                 N8    1.74077    ν8   27.76
r17     24.583
d17   7.245
r18    -14.339
d18   0.934                 N9    1.80610    ν9   33.27
r19     43.394
d19   0.010                 N10   1.55000    ν10  47.00
r20     43.394
d20   7.657                 N11   1.61800    ν11  63.33
r21    -20.895
d21   0.200
r22    139.239
d22   5.613                 N12   1.49700    ν12  81.61
r23    -33.958
d23   8.928〜4.818〜0.300
r24     49.836
d24   4.419                 N13   1.74077    ν13  27.76
r25   -486.183
d25  10.250
r26      0.000
d26  25.000                 N14   1.51680    ν14  64.20
r27      0.000
d27   5.000
r28      0.000
d28   3.000                 N15   1.50847    ν15  61.19
r29      0.000
d29   0.500
r30      0.000  。
【００６９】
（実施例７）
ｆ＝４４．３（Ｔ）  〜  ３８．４（Ｍ）  〜  ３２．７（Ｗ）
ＦＮＯ．＝２．７２（Ｔ）  〜  ２．５０（Ｗ）
曲率半径(mm)        軸上面間隔(mm)              屈折率(Nd)       アッベ数(νd)
r1      99.389
d1    4.837                 N1    1.51680    ν1   64.20
r2    -108.920
d2    0.200
r3      62.477
d3    3.320                 N2    1.58913    ν2   61.25
r4      23.789
d4   11.024
r5     -24.642
d5    1.192                 N3    1.58144    ν3   40.89
r6      56.281
d6    2.600〜4.285〜6.649
r7      98.551
d7    4.142                 N4    1.71300    ν4   53.94
r8     -33.015
d8    0.300〜0.646〜0.380
r9      23.677
d9    3.929                 N5    1.83400    ν5   37.34
r10    124.078
d10   8.061〜6.029〜3.932
r11      0.000
d11   1.351                 N6    1.60342    ν6   38.01
r12    -71.858
d12   0.797
r13     20.191
d13   4.347〜8.841〜14.000
r14   -100.000
d14   3.254                 N7    1.49700    ν7   81.61
r15    -19.599
d15   4.642
r16    -16.187
d16   1.392                 N8    1.80610    ν8   33.27
r17     51.941
d17   0.010                 N9    1.55000    ν9   47.00
r18     51.941
d18   5.944                 N10   1.61800    ν10  63.33
r19    -32.860
d19   0.200
r20 -13605.442
d20   6.186                 N11   1.49700    ν11  81.61
r21    -24.730
d21   9.954〜5.460〜0.300
r22     42.922
d22   4.939                 N12   1.62004    ν12  36.29
r23   -318.497
d23   8.959
r24      0.000
d24  25.000                 N13   1.51680    ν13  64.20
r25      0.000
d25   5.000
r26      0.000
d26   3.000                 N14   1.50847    ν14  61.19
r27      0.000
d27   0.500
r28      0.000  。
【００７０】
（実施例８）
ｆ＝４４．３（Ｔ）  〜  ３８．４（Ｍ）  〜  ３２．７（Ｗ）
ＦＮＯ．＝２．７３（Ｔ）  〜  ２．５０（Ｗ）
曲率半径(mm)        軸上面間隔(mm)              屈折率(Nd)       アッベ数(νd)
r1     133.330
d1    1.835                 N1    1.58913    ν1   61.25
r2      24.861
d2    4.007
r3      34.882
d3    3.000                 N2    1.52510    ν2   56.38
r4      28.817
d4    6.161〜9.985〜15.154
r5      75.592
d5    3.528                 N3    1.71300    ν3   53.94
r6    -122.379
d6    5.042〜3.338〜0.300
r7      26.021
d7    4.486                 N4    1.74400    ν4   44.90
r8     145.306
d8   13.023〜10.903〜8.772
r9       0.000
d9    2.713
r10   -104.783
d10   0.740                 N5    1.68893    ν5   31.16
r11     22.607
d11   3.736〜8.342〜13.389
r12   -100.255
d12   3.210                 N6    1.49700    ν6   81.61
r13    -20.382
d13   3.390
r14    -16.022
d14   2.034                 N7    1.71736    ν7   29.50
r15     41.072
d15   0.010                 N8    1.55000    ν8   47.00
r16     41.072
d16   7.153                 N9    1.61800    ν9   63.33
r17    -38.051
d17   0.200
r18    440.729
d18   6.766                 N10   1.49700    ν10  81.61
r19    -28.186
d19   9.953〜5.347〜0.300
r20     49.016
d20   4.586                 N11   1.80518    ν11  25.46
r21   -932.053
d21   9.025
r22      0.000
d22  25.000                 N12   1.51680    ν12  64.20
r23      0.000
d23   5.000
r24      0.000
d24   3.000                 N13   1.50847    ν13  61.19
r25      0.000
d25   0.500
r26      0.000
第３面（ｒ３）の非球面データを以下に示す。
ε＝１．００００、Ａ４＝０．７０５１９×１０-5，Ａ６＝０．７８４１１×１０-8、Ａ８＝０．１４３０３×１０-11、Ａ１０＝０．１９１４６×１０-13  。
【００７１】
（実施例９）
ｆ＝３１．３（Ｔ）  〜  ２８．５（Ｍ）  〜  ２５．６（Ｗ）
ＦＮＯ．＝１．９６（Ｔ）  〜  １．８０（Ｗ）
曲率半径(mm)        軸上面間隔(mm)              屈折率(Nd)       アッベ数(νd)
r1      90.791
d1    6.498                 N1    1.51680    ν1   64.20
r2    1210.771
d2    0.899
r3      63.891
d3    2.700                 N2    1.58913    ν2   61.25
r4      30.174
d4   12.368
r5     458.682
d5    2.200                 N3    1.74400    ν3   44.90
r6      44.476
d6   11.134
r7    -172.959
d7    2.000                 N4    1.71736    ν4   29.50
r8     120.815
d8   16.881〜19.314〜22.454
r9     383.954
d9    5.741                 N5    1.83400    ν5   37.34
r10    -88.745
d10   1.672
r11     54.199
d11   5.261                 N6    1.80610    ν6   33.27
r12  -1187.536
d12  15.628〜13.196〜10.056
r13    -95.206
d13   1.500                 N7    1.51680    ν7   64.20
r14     45.769
d14  15.306
r15      0.000
d15   0.560〜5.162〜9.627
r16     64.724
d16   6.757                 N8    1.49700    ν8   81.61
r17    -51.533
d17   1.071〜0.300〜0.336
r18     72.563
d18   5.876                 N9    1.61800    ν9   63.33
r19    -36.227
d19   0.010                 N10   1.55000    ν10  47.00
r20    -36.227
d20   1.500                 N11   1.74077    ν11  27.76
r21     40.168
d21   9.305
r22    -25.400
d22   1.800                 N12   1.80610    ν12  40.72
r23    112.895
d23   0.010                 N13   1.55000    ν13  47.00
r24    112.895
d24   6.654                 N14   1.58913    ν14  61.25
r25    -43.133
d25   0.200
r26   -319.516
d26   5.826                 N15   1.49700    ν15  81.61
r27    -40.566
d27   0.200
r28    130.811
d28   6.771                 N16   1.49700    ν16  81.61
r29    -60.981
d29   8.634〜4.803〜0.302
r30     58.480
d30   4.843                 N17   1.78472    ν17  25.72
r31    175.441
d31  21.336
r32      0.000
d32  25.310                 N18   1.51680    ν18  64.20
r33      0.000
d33   5.000
r34      0.000
d34   3.000                 N19   1.50847    ν19  61.19
r35      0.000
d35   0.500
r36      0.000  。
【００７２】
（実施例１０）
ｆ＝３１．３（Ｔ）  〜  ２８．５（Ｍ）  〜  ２５．６（Ｗ）
ＦＮＯ．＝１．９９（Ｔ）  〜  １．８０（Ｗ）
曲率半径(mm)        軸上面間隔(mm)              屈折率(Nd)       アッベ数(νd)
r1      85.963
d1    5.889                 N1    1.71300    ν1   53.94
r2     377.387
d2    0.200
r3      84.360
d3    2.700                 N2    1.62299    ν2   58.12
r4      31.618
d4   10.612
r5     195.181
d5    2.200                 N3    1.67790    ν3   55.52
r6      42.551
d6    9.499
r7    -130.189
d7    2.000                 N4    1.53172    ν4   48.84
r8     133.796
d8   21.060〜23.446〜26.124
r9   -2119.542
d9    3.799                 N5    1.83400    ν5   37.34
r10    -91.142
d10  11.390
r11     50.274
d11   5.213                 N6    1.83400    ν6   37.34
r12    861.854
d12  16.493〜14.107〜11.429
r13   -120.671
d13   1.500                 N7    1.54072    ν7   47.20
r14     43.724
d14   9.386
r15      0.000
d15   1.089〜5.910〜10.111
r16     49.944
d16   7.154                 N8    1.49700    ν8   81.61
r17    -55.057
d17   0.200
r18     48.493
d18   4.715                 N9    1.61800    ν9   63.33
r19    -62.701
d19   0.010                 N10   1.55000    ν10  47.00
r20    -62.701
d20   1.500                 N11   1.80610    ν11  33.27
r21     34.670
d21   9.092
r22    -22.951
d22   1.800                 N12   1.80610    ν12  33.27
r23    107.656
d23   0.010                 N13   1.55000    ν13  47.00
r24    107.656
d24   5.551                 N14   1.61800    ν14  63.33
r25    -46.782
d25   0.300〜0.406〜0.866
r26   -109.315
d26   5.152                 N15   1.49700    ν15  81.61
r27    -33.094
d27   0.200
r28    165.469
d28   6.605                 N16   1.49700    ν16  81.61
r29    -57.985
d29   9.888〜4.961〜0.300
r30     58.480
d30   6.310                 N17   1.78472    ν17  25.72
r31    442.267
d31  19.867
r32      0.000
d32  25.310                 N18   1.51680    ν18  64.20
r33      0.000
d33   5.000
r34      0.000
d34   3.000                 N19   1.50847    ν19  61.19
r35      0.000
d35   0.500
r36      0.000  。
【００７３】
（実施例１１）
ｆ＝３１．３（Ｔ）  〜  ２８．５（Ｍ）  〜  ２５．６（Ｗ）
ＦＮＯ．＝２．３２（Ｔ）  〜  ２．２０（Ｗ）
曲率半径(mm)        軸上面間隔(mm)              屈折率(Nd)       アッベ数(νd)
r1      99.657
d1    5.466                 N1    1.51680    ν1   64.20
r2    3043.121
d2    0.200
r3      62.016
d3    2.600                 N2    1.58913    ν2   61.25
r4      29.085
d4    9.399
r5     126.640
d5    2.100                 N3    1.67790    ν3   55.52
r6      37.907
d6   15.755
r7    -188.797
d7    1.800                 N4    1.71736    ν4   29.50
r8      83.478
d8   16.687〜19.151〜22.096
r9     147.765
d9    4.072                 N5    1.80610    ν5   33.27
r10    -92.190
d10   0.200
r11     50.283
d11   4.237                 N6    1.83400    ν6   37.34
r12   1970.676
d12   7.129〜3.781〜1.518
r13    240.051
d13   3.178                 N7    1.51823    ν7   58.96
r14    -61.492
d14   0.010                 N8    1.55000    ν8   47.00
r15    -61.492
d15   1.700                 N9    1.72000    ν9   50.34
r16    191.828
d16   3.299〜4.184〜3.501
r17    476.272
d17   1.400                 N10   1.48749    ν10  70.44
r18     36.801
d18   4.537
r19      0.000
d19  10.524〜14.460〜19.234
r20    113.477
d20   3.750                 N11   1.49700    ν11  81.61
r21    -37.465
d21   0.200
r22     42.707
d22   5.834                 N12   1.60300    ν12  65.44
r23    -26.747
d23   0.010                 N13   1.55000    ν13  47.00
r24    -26.747
d24   1.200                 N14   1.80610    ν14  33.27
r25     31.023
d25   8.875
r26    -19.421
d26   1.700                 N15   1.80610    ν15  33.27
r27      0.000
d27   0.010                 N16   1.55000    ν16  47.00
r28      0.000
d28   6.629                 N17   1.62041    ν17  60.34
r29    -25.574
d29   0.200
r30    240.441
d30   8.089                 N18   1.49700    ν18  81.61
r31    -32.094
d31   9.009〜5.074〜0.300
r32     58.480
d32   5.400                 N19   1.78472    ν19  25.72
r33    345.249
d33  21.000
r34      0.000
d34  25.310                 N20   1.51680    ν20  64.20
r35      0.000
d35   5.000
r36      0.000
d36   3.000                 N21   1.50847    ν21  61.19
r37      0.000
d37   0.500
r38      0.000  。
【００７４】
（実施例１２）
ｆ＝３１．３（Ｔ）  〜  ２８．５（Ｍ）  〜  ２５．６（Ｗ）
ＦＮＯ．＝１．９４（Ｔ）  〜  １．８０（Ｗ）
曲率半径(mm)        軸上面間隔(mm)              屈折率(Nd)       アッベ数(νd)
r1      91.207
d1    6.542                 N1    1.51680    ν1   64.20
r2    1572.921
d2    1.081
r3      66.381
d3    3.607                 N2    1.62299    ν2   58.12
r4      31.112
d4   11.190
r5       0.000
d5    2.000                 N3    1.67790    ν3   55.52
r6      42.841
d6   11.712
r7    -127.012
d7    1.900                 N4    1.67790    ν4   55.52
r8     101.222
d8   11.312〜12.882〜15.137
r9     400.835
d9    5.814                 N5    1.83400    ν5   37.34
r10    -75.755
d10   8.049〜9.363〜10.189
r11     51.668
d11   5.476                 N6    1.74400    ν6   44.90
r12   -259.678
d12  12.102〜9.218〜6.138
r13   -102.235
d13   1.500                 N7    1.51742    ν7   52.15
r14     46.641
d14  11.317
r15      0.000
d15   6.838〜11.488〜16.722
r16     49.900
d16   6.748                 N8    1.49700    ν8   81.61
r17    -67.894
d17   1.973
r18     57.334
d18   4.512                 N9    1.61800    ν9   63.39
r19    -71.453
d19   0.010                 N10   1.55000    ν10  47.00
r20    -71.453
d20   1.400                 N11   1.80610    ν11  33.27
r21     36.488
d21   9.464
r22    -23.516
d22   1.700                 N12   1.80610    ν12  33.27
r23    141.020
d23   0.010                 N13   1.55000    ν13  47.00
r24    141.020
d24   6.174                 N14   1.61800    ν14  63.39
r25    -39.171
d25   0.200
r26   -215.827
d26   5.651                 N15   1.49700    ν15  81.61
r27    -38.232
d27   0.200
r28    399.485
d28   5.951                 N16   1.49700    ν16  81.61
r29    -59.720
d29  10.484〜5.834〜0.600
r30     58.480
d30   5.400                 N17   1.78472    ν17  25.72
r31    345.249
d31  20.778
r32      0.000
d32  25.310                 N18   1.51680    ν18  64.20
r33      0.000
d33   5.000
r34      0.000
d34   3.000                 N19   1.50847    ν19  61.19
r35      0.000
d35   0.500
r36      0.000  。
【００７５】
各実施例における諸数値を以下に示す。
【００７６】
【表１】
2008052174.tif 000003
【００７７】
【表２】
2008052174.tif 000004
【００７８】
条件式（１）から（９）の対応データ及び関連データを以下に示す。
【００７９】
【表３】
2008052174.tif 000005
【００８０】
【表４】
2008052174.tif 000006
【００８１】
【表５】
2008052174.tif 000007
【００８２】
【表６】
2008052174.tif 000008
【００８３】
【表７】
2008052174.tif 000009
【００８４】
【表８】
2008052174.tif 000010
【００８５】
各実施例における共役距離及び関連するデータを以下に示す。
【００８６】
【表９】
2008052174.tif 000011
【図面の簡単な説明】
【００８７】
【図１】第１の実施の形態のズームレンズの構成を示す断面図である。
【図２】第２の実施の形態のズームレンズの構成を示す断面図である。
【図３】第３の実施の形態のズームレンズの構成を示す断面図である。
【図４】第４の実施の形態のズームレンズの構成を示す断面図である。
【図５】第５の実施の形態のズームレンズの構成を示す断面図である。
【図６】第６の実施の形態のズームレンズの構成を示す断面図である。
【図７】第７の実施の形態のズームレンズの構成を示す断面図である。
【図８】第８の実施の形態のズームレンズの構成を示す断面図である。
【図９】第９の実施の形態のズームレンズの構成を示す断面図である。
【図１０】第１０の実施の形態のズームレンズの構成を示す断面図である。
【図１１】第１１の実施の形態のズームレンズの構成を示す断面図である。
【図１２】第１２の実施の形態のズームレンズの構成を示す断面図である。
【図１３】実施例１の望遠端での収差図である。
【図１４】実施例１の広角端での収差図である。
【図１５】実施例２の望遠端での収差図である。
【図１６】実施例２の広角端での収差図である。
【図１７】実施例３の望遠端での収差図である。
【図１８】実施例３の広角端での収差図である。
【図１９】実施例４の望遠端での収差図である。
【図２０】実施例４の広角端での収差図である。
【図２１】実施例５の望遠端での収差図である。
【図２２】実施例５の広角端での収差図である。
【図２３】実施例６の望遠端での収差図である。
【図２４】実施例６の広角端での収差図である。
【図２５】実施例７の望遠端での収差図である。
【図２６】実施例７の広角端での収差図である。
【図２７】実施例８の望遠端での収差図である。
【図２８】実施例８の広角端での収差図である。
【図２９】実施例９の望遠端での収差図である。
【図３０】実施例９の広角端での収差図である。
【図３１】実施例１０の望遠端での収差図である。
【図３２】実施例１０の広角端での収差図である。
【図３３】実施例１１の望遠端での収差図である。
【図３４】実施例１１の広角端での収差図である。
【図３５】実施例１２の望遠端での収差図である。
【図３６】実施例１２の広角端での収差図である。
【図３７】ＯＮ／ＯＦＦゴーストを説明する図である。
【符号の説明】
【００８８】
ＡＸ  光軸
Ｇｒ１  第１群
Ｇｒ２  第２群
Ｇｒ３  第３群
Ｇｒ４  第４群
Ｇｒ５  第５群
Ｇｒ６  第６群
ＳＴ  絞り
Ｐ１  プリズム
Ｐ２  平行平板
５０  ＤＭＤ（表示素子）
【図１】
2008052174.tif 000012
【図２】
2008052174.tif 000013
【図３】
2008052174.tif 000014
【図４】
2008052174.tif 000015
【図５】
2008052174.tif 000016
【図６】
2008052174.tif 000017
【図７】
2008052174.tif 000018
【図８】
2008052174.tif 000019
【図９】
2008052174.tif 000020
【図１０】
2008052174.tif 000021
【図１１】
2008052174.tif 000022
【図１２】
2008052174.tif 000023
【図１３】
2008052174.tif 000024
【図１４】
2008052174.tif 000025
【図１５】
2008052174.tif 000026
【図１６】
2008052174.tif 000027
【図１７】
2008052174.tif 000028
【図１８】
2008052174.tif 000029
【図１９】
2008052174.tif 000030
【図２０】
2008052174.tif 000031
【図２１】
2008052174.tif 000032
【図２２】
2008052174.tif 000033
【図２３】
2008052174.tif 000034
【図２４】
2008052174.tif 000035
【図２５】
2008052174.tif 000036
【図２６】
2008052174.tif 000037
【図２７】
2008052174.tif 000038
【図２８】
2008052174.tif 000039
【図２９】
2008052174.tif 000040
【図３０】
2008052174.tif 000041
【図３１】
2008052174.tif 000042
【図３２】
2008052174.tif 000043
【図３３】
2008052174.tif 000044
【図３４】
2008052174.tif 000045
【図３５】
2008052174.tif 000046
【図３６】
2008052174.tif 000047
【図３７】
2008052174.tif 000048